(57)【要約】【課題】液体サンプルによる角質水分量の増加効果を人体を介さずに評価することができる角質水分量増加効果の代替評価方法を提供すること。【解決手段】液体サンプルをヒトの皮膚に接触させたことによって生じる角質水分量の増加効果を、人体を介さずに代替的に評価する角質水分量増加効果の代替評価方法であって、以下の工程、（１）セラミドと液体サンプルとを接触させる工程、および（２）前記工程（１）の後、前記セラミドに吸着している水分量を測定する工程、を含む角質水分量増加効果の代替評価方法とする。【選択図】なし【特許請求の範囲】
【請求項１】
液体サンプルをヒトの皮膚に接触させたことによって生じる角質水分量の増加効果を、人体を介さずに代替的に評価する角質水分量増加効果の代替評価方法であって、以下の工程、
（１）セラミドと液体サンプルとを接触させる工程、および
（２）前記工程（１）の後、前記セラミドに吸着している水分量を測定する工程、
を含むことを特徴とする角質水分量増加効果の代替評価方法。
【請求項２】
前記セラミドが、タイプ２のセラミドであることを特徴とする請求項１に記載の角質水分量増加効果の代替評価方法。
【請求項３】
前記液体サンプルが、酸素を溶解させた水であることを特徴とする請求項１または２に記載の角質水分量増加効果の代替評価方法。
【発明の詳細な説明】
【技術分野】
【０００１】
本発明は、液体サンプルをヒトの皮膚に接触させたことによって生じる角質水分量の増加効果を、人体を介さずに代替的に評価する角質水分量増加効果の代替評価方法に関する。
【背景技術】
【０００２】
従来、肌に潤いを与え、柔軟にするためには、角質層の水分が重要であることが知られている。例えば特許文献１には、繊維用仕上げ剤組成物のスキンケア効果を評価する方法の一つとして、高周波伝送度測定装置で角質層のインピーダンスを測定することで角質水分量を測定する方法が記載されている。具体的には、恒温・恒湿室で一定時間、繊維用仕上げ剤組成物で加工された繊維製品を着用したときの角質水分量を測定し、未加工の繊維製品を着用した場合の水分量に対する増加率を測定、比較することが記載されている。
【先行技術文献】
【特許文献】
【０００３】
【特許文献１】特開2001−146680号公報
【発明の概要】
【発明が解決しようとする課題】
【０００４】
しかしながら、特許文献１に記載されているような従来の角質水分量の評価方法は、角質水分量を実際のヒトの皮膚で測定して評価するため、角質水分量の測定結果に個人差が大きく影響し、評価が必ずしも容易でないという問題がある。さらに、従来の角質水分量の評価方法は、液体サンプルを皮膚に接触させた場合と、皮膚に接触させない場合の角質水分量をそれぞれ測定して比較する必要があるため、試験数が増加してしまうという問題もある。
【０００５】
本発明は、以上のとおりの事情に鑑みてなされたものである。本発明は、従来の角質水分量の測定・評価方法における個人差の影響を排除し、試験数も抑制するために、液体サンプルによる角質水分量の増加効果を人体を介さずに評価することができる角質水分量増加効果の代替評価方法を提供することを課題としている。
【課題を解決するための手段】
【０００６】
上記の課題を解決するために、本発明の角質水分量増加効果の代替評価方法は、液体サンプルをヒトの皮膚に接触させたことによって生じる角質水分量の増加効果を、人体を介さずに代替的に評価する角質水分量増加効果の代替評価方法であって、以下の工程、
（１）セラミドと液体サンプルとを接触させる工程、および
（２）前記工程（１）の後、前記セラミドに吸着している水分量を測定する工程、
を含むことを特徴としている。
【発明の効果】
【０００７】
本発明の角質水分量増加効果の代替評価方法によれば、液体サンプルをヒトの皮膚に接触させたことによって生じる角質水分量の増加効果を人体を介さずに代替的に評価することができる。このため、従来の角質水分量の測定・評価方法における個人差の影響を排除することができ、試験数も抑制することができる。
【発明を実施するための形態】
【０００８】
本発明者らは、液体サンプルをヒトの皮膚に接触させたことによって生じる角質水分量の増加は、液体サンプルによってセラミドに吸着した水分量と相関関係があることを見出し、本発明の角質水分量増加効果の代替評価方法を完成させるに至った。
【０００９】
本発明の角質水分量増加効果の代替評価方法は、液体サンプルをヒトの皮膚に接触させたことによって生じる角質水分量の増加効果を、人体を介さずに代替的に評価するものである。
【００１０】
そして、この角質水分量増加効果の代替評価方法は、以下の工程、
（１）セラミドと液体サンプルとを接触させる工程、および
（２）前記工程（１）の後、セラミドに吸着している水分量を測定する工程、
を含む。
【００１１】
以下、本発明の角質水分量増加効果の代替評価方法の一実施形態について説明する。
【００１２】
工程（１）では、セラミドに液体サンプルとを接触させる。
【００１３】
セラミドは、スフィンゴシンと脂肪酸とがアミド結合しているスフィンゴ脂質の一種であり、細胞膜に高い濃度で存在することが知られている。この工程で使用するセラミドは、従来公知の方法で製造された紛体状のものであってよく、例えば、天然物から抽出されたセラミド、有機合成された合成セラミド、スフィンゴミエリンを酵素で処理して得たセラミドなどを例示することができる。なかでも、合成セラミドは、成分のバラツキや経時変化の影響を抑えることができるため好ましく使用することができる。
【００１４】
また、セラミドは、ヒトの皮膚には11タイプ、342種のセラミドがあることが知られているが（Masukawa，Y.、Ｊ Lipid  Res．49：1466（2008））、なかでも、ヒトの皮膚に多く含まれ、保湿力が強いことが知られているタイプ２のセラミドを使用することが好ましい。タイプ２のセラミドを使用することで、液体サンプルの角質水分量の増加効果をより正確に代替評価することができる。
【００１５】
液体サンプルは、角質水分量の増加効果を評価すべき所望の液体であってよく、特に限定されない。具体的には、液体サンプルは、例えば、角質水分量の増加効果が期待される成分を含む化粧水や機能水、または、化粧水や機能水における開発段階のサンプルなどを例示することができる。なお、ここでいう「機能水」とは、水に人工的に角質水分量の増加効果を付加したものをいい、例えば、酸素を溶解させた水（湯）などを例示することができる。液体サンプルとして酸素を溶解させた水を使用する場合、酸素を溶解させた水をヒトの皮膚に接触させたことによって生じる角質水分量の増加と、酸素を溶解させた水との混合によってセラミドに吸着された水分量との間には明確な相関関係が確認されている。
【００１６】
セラミドと液体サンプルとを接触させる方法は特に限定されず、例えば、液体サンプルにセラミドを浸漬する方法や、液体サンプルにセラミドを供給して撹拌する方法などを例示することができる。セラミドと液体サンプルとを接触させることによって、セラミドに液体サンプルの水分を吸着させることができる。
【００１７】
また、セラミドと液体サンプルとを接触させる際の液体サンプルの温度はヒトの体温付近の温度であることが好ましい。具体的には、好ましい液体サンプルの温度は、35℃〜45℃程度の範囲を例示することができる。
【００１８】
工程（２）では、前記工程（１）の後、セラミドに吸着している水分量を測定する。
【００１９】
セラミドに吸着している水分は、液体サンプルに由来するものである。また、セラミドに吸着していない液体サンプルは、例えば、所定の条件下で吸引・濾過などの操作を行うことで、セラミドと分離することができる。セラミドと、セラミドに吸着していない液体サンプルとを分離させる場合には、セラミドの表面に付着している水分をほとんど除去し、セラミド中に含まれる水分（セラミド中に吸着している水分）は除去しないことが望ましい。このように、セラミドと、セラミドに吸着していない液体サンプルとを分離させ、分離して得たセラミドに吸着している水分量を測定することができる。
【００２０】
セラミドに吸着している水分量の測定は、公知の測定方法を適宜採用することができる。具体的には、セラミドに吸着している水分量の測定は、例えば、カールフィッシャー法などの方法を例示することができる。
【００２１】
液体サンプルをヒトの皮膚に接触させたことによって生じる角質水分量の増加は、液体サンプルによってセラミドに吸着された水分量と相関関係があることが新たに見出されている。このため、セラミドに吸着している水分量を測定することで、液体サンプルをヒトの皮膚に接触させた場合に生じる角質水分量の増加効果を代替的に評価することができる。このため、従来のように実際のヒトの皮膚の角質水分量を測定する場合に生じる個人差の影響を排除することができる。また、セラミドに吸着している水分量を測定するだけでよいため、実際のヒトの皮膚の角質水分量を測定する方法に比べて試験数も抑制することができる。
【００２２】
本発明の角質水分量増加効果の代替評価方法は、以上の形態に限定されることはない。
【００２３】
以下、本発明の角質水分量増加効果の代替評価方法について実施例を基に説明するが、本発明の角質水分量増加効果の代替評価方法は、以下の実施例に何ら限定されるものではない。
【実施例】
【００２４】
＜実施例１＞
（工程１）セラミドと液体サンプルとの混合
液体サンプルとして、空気を加圧溶解して酸素を10mg/L溶解させた湯（40℃）と、この酸素溶解処理をしていない湯（40℃）を用意した。そして、この液体サンプルに、タイプ２のセラミド（高砂香料株式会社製、Ceramide 2 TIC-001）20ｇを約10分間浸漬した。
（工程２）セラミドに吸着している水分量の測定
工程１を経たセラミドを吸引濾過して水分を分離した後、このセラミドに吸着した水分量をカールフィッシャー水分計MKC-610（京都電子工業社製）および気化装置ADP-611（京都電子工業社製）を用いて測定した。この際、気化温度は130℃に設定し、キャリアガスは窒素（200ｍL/min）を使用した。
【００２５】
その結果、酸素溶解処理をした湯（40℃）によってセラミドに吸着した水分量は42.7％であり、酸素溶解処理をしていない湯（40℃）によってセラミドに吸着した水分量は33.1％であった。
＜参考例１＞
実施例１で使用した酸素溶解処理をした湯（40℃）と、この酸素溶解処理をしていない湯（40℃）に、実際のヒトの皮膚を約10分間浸漬した後、皮表角層水分量測定装置SKICON（株式会社IBS社製）で、角質水分量を測定した。
【００２６】
その結果、酸素溶解処理をした湯（40℃）では、角質水分量平均値（22名）が35％増加し、酸素溶解処理をしていない湯（40℃）では、角質水分量平均値（22名）が13％増加したことが確認された。
【００２７】
この結果は、実施例１においてセラミドに吸着した水分量と、参考例１で確認されたヒトの皮膚の角質水分量の増加効果との間には相関関係があることを示している。したがって、液体サンプルをヒトの皮膚に接触させることによって生じる角質水分量の増加効果は、液体サンプルによってセラミドに吸着された水分量を測定することで代替的に評価できることが確認された。